(57)【要約】【課題】周囲に電磁波をほとんど発生させず、また、制御基板ケースの内部の視認性を損なわずに、遊技機の制御基板に対する不正行為を検知する不正検知装置を提供することを課題とする。【解決手段】本発明は、遊技機の制御基板に対する不正行為を検知する不正検知装置であって、前記制御基板の周囲の少なくとも一部に取り付けられた光ファイバ９の一端から光を入射する発光部７６と、前記光ファイバ９の他端で前記入射された光を受ける受光部７７と、前記発光部７６に対して発光の指示を出し、前記受光部７７で受けた光の強度または波長が、前記発光部７６で発した光の強度または波長と比べて所定以上異なっている場合に、前記制御基板に対する不正行為があったと判断する処理部７１と、を備える。【選択図】図３
2009045237.tif 000002
【特許請求の範囲】
【請求項１】
遊技機の制御基板に対する不正行為を検知する不正検知装置であって、
前記制御基板の周囲の少なくとも一部に取り付けられた光ファイバの一端から光を入射する発光部と、
前記光ファイバの他端で前記入射された光を受ける受光部と、
前記発光部に対して発光の指示を出し、前記受光部で受けた光の強度または波長が、前記発光部で発した光の強度または波長と比べて所定以上異なっている場合に、前記制御基板に対する不正行為があったと判断する処理部と、
を備えることを特徴とする不正検知装置。
【請求項２】
前記不正検知装置は、前記遊技機ごとに設けられるものであり、
前記処理部は、前記制御基板に対する不正行為があったと判断したとき、複数の前記遊技機に関する情報を統括するホールコンピュータに対して前記不正行為を通知することを特徴とする請求項１に記載の不正検知装置。
【請求項３】
前記処理部は、前記発光部に対して、強度と波長との少なくとも一方が不規則な光を発するように指示することを特徴とする請求項１または請求項２に記載の不正検知装置。
【請求項４】
前記光ファイバの途中の一部が切断されており、その切断された光ファイバの端部同士は、光軸が一致するように前記制御基板に対して固定されていることを特徴とする請求項１ないし請求項３のいずれか一項に記載の不正検知装置。
【請求項５】
前記光ファイバは、前記制御基板のケースに対して略直交する２方向に巻き付けられていることを特徴とする請求項１ないし請求項３のいずれか一項に記載の不正検知装置。
【発明の詳細な説明】
【技術分野】
【０００１】
本発明は、遊技機（パチンコ機など）の制御基板に対する不正行為を検知する不正検知装置に関する。
【背景技術】
【０００２】
従来から、遊技機は、一般に、制御基板に搭載されたＲＯＭ（Read Only Memory）に書き込まれているプログラムによって、大当たり判定などの処理が行われる。そして、近年、そのＲＯＭや制御基板自体が不正に交換される、という事案が多く発生している。この場合、不正に取り付けられたＲＯＭには、例えば、特殊な手順（所定の絵柄が出現したら３０秒放置など）によって大量の出玉を獲得できるような不正プログラムが書き込まれている。つまり、ＲＯＭの不正交換後に、その遊技機で特殊な手順を実行することによって、大量の出玉を不正に獲得することができる。
【０００３】
そして、このようなＲＯＭ等の不正交換に対して、様々な対策がなされている。例えば、特許文献１では、制御基板ケースにおける本体とカバーの一部を導電性部材で形成して通電状態としておき、その通電が切れたことで不正行為（カバーが開けられたこと）を検知する技術が開示されている。
また、同様に、制御基板ケースの周囲に導電線を巻きつけ、その導電線の通電が切れたことにより制御基板ケースへの不正行為を検知する技術もある。
【特許文献１】特開２００３−１０４９０号公報
【発明の開示】
【発明が解決しようとする課題】
【０００４】
しかしながら、特許文献１などの導電性部材や導電線を使用する従来技術では、電気を使用するため周囲に電磁波を発生し、周囲の機器に影響を与える、あるいは、管理当局の検査をクリアできない、などの問題があった。また、導電線は一般に不透明であるため、制御基板ケースのカバーが透明であっても、導電線のために内部の一部が死角になってしまい、目視による制御基板ケースの内部確認がしにくく、そのために管理当局の検査をクリアできない、などの問題もあった。
【０００５】
そこで、本発明は、前記問題点に鑑みてなされたものであり、周囲に電磁波をほとんど発生させず、また、制御基板ケースの内部の視認性を損なわずに、遊技機の制御基板に対する不正行為を検知する不正検知装置を提供することを課題とする。
【課題を解決するための手段】
【０００６】
前記課題を解決するために、本発明は、遊技機の制御基板に対する不正行為を検知する不正検知装置であって、前記制御基板の周囲の少なくとも一部に取り付けられた光ファイバの一端から光を入射する発光部と、前記光ファイバの他端で前記入射された光を受ける受光部と、前記発光部に対して発光の指示を出し、前記受光部で受けた光の強度または波長が、前記発光部で発した光の強度または波長と比べて所定以上異なっている場合に、前記制御基板に対する不正行為があったと判断する処理部と、を備える。
【発明の効果】
【０００７】
本発明によれば、周囲に電磁波をほとんど発生させず、また、制御基板ケースの内部の視認性を損なわずに、遊技機の制御基板に対する不正行為を検知することができる。
【発明を実施するための最良の形態】
【０００８】
以下、本発明を実施するための最良の形態（以下、「実施形態」という。）について、図面を参照しながら詳細に説明する。
図１は、不正監視モニタ（不正検知装置）を使用する遊技場の全体構成図である。遊技場１には、従業員や客などが出入りするための出入口２が設けられている。また、事務所３には、遊技場１における様々な情報を統括（統合的に管理）するホールコンピュータ４が設置されている。
【０００９】
客が遊技を行う遊技機６（パチンコ機、パチスロ機など）は、島５ごとに設置されている。それぞれの遊技機６の内部には、制御基板に対する不正行為を検知（監視）するための不正監視モニタ７が設置されている。
それぞれの不正監視モニタ７は、専用通信回線８によってホールコンピュータ４と接続されている。
【００１０】
なお、不正監視モニタ７は、主に、輸送中の遊技機６や、非営業時間帯（深夜など）の遊技場１における遊技機６に対する不正行為を監視するためのものであるが、それ以外の場面での遊技機６に対する不正行為を監視するために用いてもよい。
また、遊技場１には、上記構成のほかに、両替機、ジェットカウンタ（玉やメダルの計数機）、受付などが実際には存在するが、本発明と特に関係がないのでそれらの図示や説明を省略する。
【００１１】
次に、遊技機６の内部構造について説明する。図２は、遊技機の内部構造の概要を表した背面図である。遊技機６は、主制御基板ケース６１、入賞制御基板ケース６２、画像制御基板ケース６３、電源６４などを備えて構成される。なお、ランプ、スピーカ、各配線などは図示や説明を省略する。
【００１２】
主制御基板ケース６１は、遊技機６の制御プログラムなどを格納したＲＯＭ（Read Only Memory）、その制御プログラムを実行するＣＰＵ（Central Processing Unit）、そのＣＰＵの動作領域となるＲＡＭ（Random Access Memory）などを搭載した基板を含んで構成される（詳細な図示は省略）。
【００１３】
入賞制御基板ケース６２は入賞制御用の基板を備え、画像制御基板ケース６３は画像制御用の基板を備え、電源６４は主制御基板ケース６１、入賞制御基板ケース６２および画像制御基板ケース６３に電力を供給する。
主制御基板ケース６１には、２本の光ファイバ９が略直行方向に巻き付けられている。２本の光ファイバ９は不正監視モニタ７に接続されている。
【００１４】
次に、不正監視モニタ７および光ファイバ９について、さらに詳しく説明する（適宜他図参照）。図３は、（ａ）が不正監視モニタや光ファイバなどの構成を示した図、（ｂ）が光の波長の変化の説明図、（ｃ）が光の強度の変化の説明図である。
図３（ａ）に示すように、不正監視モニタ７は、処理部７１、電源部７２、記憶部７４、通信部７５、発光部７６および受光部７７を備えて構成される。
【００１５】
処理部７１は、例えばＣＰＵであり、他の各構成と接続され、各種演算処理を行う。
電源部７２は、他の各構成に電力を供給する。なお、電源部７２は、不正監視モニタ７に内蔵のバッテリなどでもよいが、不正監視モニタ７の外部（遊技機６の電源６４、専用通信回線８を経由した外部など）から電力の供給を受けるものであってもよい。電源部７２が不正監視モニタ７に内蔵のバッテリであれば、遊技機６の輸送中でも、不正監視モニタ７によって主制御基板ケース６１に対する不正行為の監視を行うことができる（その場合は例えば自身のランプなどで異常を報知すればよい）。なお、処理部７１の作動クロック周波数を下げれば、電源部７２の電力消費速度を低減することができる。
【００１６】
記憶部７４は、例えばフラッシュメモリであり、各種情報を記憶する。
通信部７５は、例えば通信インタフェースであり、ホールコンピュータ４と専用通信回線８によって接続されている。
発光部７６（７６ａ，７６ｂ）は、例えばＬＥＤ（Light Emitting Diode）であり、処理部７１からの指示によって、強度と波長とが規則的または不規則的な光を発する。
受光部７７（７７ａ，７７ｂ）は、例えばＰＤ（Photo Diode）であり、光ファイバ９から受けた光を電気信号に変えて処理部７１に伝える。その電気信号を受けた処理部７１は、その光の強度や波長を解析する。処理部７１は、図３（ｂ）に示すように光の波長が変化したり、図３（ｃ）に示すように光の強度が変化したりしたことを認識すると、主制御基板ケース６１に対する不正行為があったと判断する。
【００１７】
光ファイバ９は、公知の技術によるものであり、コア（芯）、および、屈折率がコアよりも低いクラッド（被覆材）の二重構造を有している。光ファイバ９は、発光部７６からコアに発せられた光を全反射によりその内部に閉じ込めることで、その光を受光部７７まで伝搬させることができる。なお、コアは、使用する光に対して透過率が非常に高いガラスやプラスチックなどから構成される。クラッドは、略透明な樹脂やガラスなどから構成される。つまり、光ファイバ９は略透明である。
主制御基板ケース６１は、平面視で長方形の形状をしており、主制御基板ケース本体６１１および主制御基板ケースカバー６１２から構成される。
【００１８】
光ファイバ９ａは、主制御基板ケース６１の各長辺の中心付近を通って短辺に略平行に巻き付けられ、止め具９１ａ（９１）で固定され、一端が発光部７６ａに接続され、他端が受光部７７ａに接続されている。
同様に、光ファイバ９ｂは、主制御基板ケース６１の各短辺の中心付近を通って長辺に略平行に巻き付けられ、止め具９１ｂ（９１）で固定され、一端が発光部７６ｂに接続され、他端が受光部７７ｂに接続されている。
【００１９】
続いて、発光部７６が規則的に発光する場合の不正監視モニタ７の処理について説明する。図４は、発光部が規則的に発光する場合の不正監視モニタの処理の流れを示したフローチャートである（適宜他図参照）。
まず、不正監視モニタ７の処理部７１は、不正監視中か否かを判断する（ステップＳ４１）。なお、処理部７１は、不正監視の開始や終了の指示を、例えばホールコンピュータ４から受ける。
【００２０】
処理部７１は、不正監視中でなければ（ステップＳ４１でＮｏ）その処理を繰り返し、不正監視中であれば（ステップＳ４１でＹｅｓ）発光部７６に光ファイバ９に対して発光（点灯）するように指示する（ステップＳ４２）。
【００２１】
続いて、処理部７１は、受光部７７による受光の強度または波長が所定以上変化したか（規則性がある程度以上崩れたか）否かを判断し（ステップＳ４３）、変化していなければ（Ｎｏ）ステップＳ４１に戻り、変化していれば（Ｙｅｓ）主制御基板ケース６１に対する不正行為があったと判断して、通信部７５を介してホールコンピュータ４に異常（不正行為）を通知し（ステップＳ４４）、ステップＳ４１に戻る。
【００２２】
なお、この異常通知の際は、併せて、遊技機６あるいは不正監視モニタ７の識別番号などを通知してもよい。これを受けて、ホールコンピュータ４は不正行為に関する表示を行い、事務所３にいる者はその表示を見て、当該不正行為があったことを知ることができる。
また、発光部７６による発光は、定常的でなくても、５秒間の点灯と１分間の非点灯とを繰り返すなどしてもよく、そのようにすれば省電力を図ることができる。
【００２３】
次に、発光部７６が不規則的に発光する場合の不正監視モニタ７の処理について説明する。図５は、（ａ）が不規則的に発光する発光部、受光部などの詳細説明図、（ｂ）がその場合の不正監視モニタの処理の流れを示したフローチャートである（適宜他図参照）。
【００２４】
図５（ａ）に示すように、発光部７６は変調器７６１と発光素子７６２（ＬＥＤなど）から構成され、受光部７７は受光素子７７１とアンプ７７２（増幅器）から構成される。
処理部７１からの変調信号に基づいて、変調器７６１は発光素子７６２に変調光を発生させ、その変調光が光ファイバ９に入射する。そして、受光素子７７１が光ファイバ９から受けた変調光をアンプ７７２が増幅して検出信号として処理部７１に送る。
【００２５】
このような構成の下で、図５（ｂ）に示すように、まず、不正監視モニタ７の処理部７１は、不正監視中か否かを判断する（ステップＳ５１）。処理部７１は、不正監視の開始や終了の指示を、例えばホールコンピュータ４から受ける。
【００２６】
処理部７１は、不正監視中でなければ（ステップＳ５１でＮｏ）その処理を繰り返し、不正監視中であれば（ステップＳ５１でＹｅｓ）発光部７６の変調器７６１に、発光素子７６２を光ファイバ９に対して不規則的に発光させるように（強度と波長との片方あるいは両方が変調された変調光を発生させるように）指示する（ステップＳ５２）。
【００２７】
なお、発光部７６に不規則的な発光を行わせる手法としては、例えば、発光の強度と波長との片方あるいは両方の不規則性に関する情報（テーブルなど）を記憶部７４に（必要に応じて暗号化して）格納しておき、その不規則性に関する情報にしたがって発光するようにすればよい。なお、その不規則性に関する情報は、不変でなくても、適宜自動または手動で変更するようにしてもよい。
【００２８】
続いて、受光部７７の受光素子７７１は光ファイバ９から変調光を受け（ステップＳ５３）、その受光素子７７１からの信号を増幅したアンプ７７２から検出信号を受信した処理部７１は光ファイバ９が振動したまたは切断されたか否か、つまり、受けた光の強度または波長が発光部７６で発した光の強度または波長と比べて所定以上異なっている否かを判断し（ステップＳ５４）、異なっていなければ（Ｎｏ）ステップＳ５１に戻り、異なっていれば（Ｙｅｓ）主制御基板ケース６１に対する不正行為があったと判断して通信部７５を介してホールコンピュータ４に異常を通知する（ステップＳ５５）。
【００２９】
なお、光ファイバ９が振動したか否かは、ドップラ効果の発生の有無などにより判断することができる。（詳細は、例えば、「影山和郎、外５名、『新規光ファイバセンサの開発と構造ヘルスモニタリングへの応用』、日本機械学会２００２年度年次大会、２００２年９月２５〜２８日」参照。）また、この異常通知の際は、併せて、遊技機６あるいは不正監視モニタ７の識別番号などを通知してもよい。これを受けて、ホールコンピュータ４は不正行為に関する表示を行い、事務所３にいる者はその表示を見て、当該不正行為があったことを知ることができる。
【００３０】
次に、途中で切断した光ファイバ９（端部同士の光軸を一致させた２本の光ファイバ９）を使用して不正行為の検知を行う場合について説明する。図６は、途中で切断した光ファイバを使用した場合の説明図である。なお、図３の場合と同様の構成には同様の符号を付し、説明を省略する。
【００３１】
図６に示すように、発光部７６ａに接続された光ファイバ９ａ１は、止め具９１ａ２によって主制御基板ケース６１に固定される。また、受光部７７ａに接続された光ファイバ９ａ２は、止め具９１ａ１によって主制御基板ケース６１に固定される。なお、各光ファイバ９はその他の止め具によっても固定してもよい。
【００３２】
そして、光ファイバ９ａ１の端部Ｐ１と光ファイバ９ａ２の端部Ｐ２とは光軸が一致しており、発光部７６ａから発せられた光は、光ファイバ９ａ１を通過し、端部Ｐ１から外部に出て、その一部が光ファイバ９ａ２の端部Ｐ２から光ファイバ９ａ２の内部に入り、光ファイバ９ａ２を通過して受光部７７ａに到達する。
【００３３】
同様に、発光部７６ｂに接続された光ファイバ９ｂ１は、止め具９１ｂ２によって主制御基板ケース６１に固定される。また、受光部７７ｂに接続された光ファイバ９ｂ２は、止め具９１ｂ１によって主制御基板ケース６１に固定される。
【００３４】
そして、光ファイバ９ｂ１の端部Ｐ４と光ファイバ９ｂ２の端部Ｐ３とは光軸が一致しており、発光部７６ｂから発せられた光は、光ファイバ９ｂ１を通過し、端部Ｐ４から外部に出て、その一部が光ファイバ９ｂ２の端部Ｐ３から光ファイバ９ｂ２の内部に入り、光ファイバ９ｂ２を通過して受光部７７ｂに到達する。
【００３５】
つまり、光ファイバ９の途中が切断したこのような構成の場合でも、その途中で光は少し減衰するが、図３の構成の場合と同様に、図４や図５のフローチャートで示す処理によって、主制御基板ケース６１に対する不正行為を検知することができる。また、光ファイバ９の途中が切断されていることで、光ファイバ９が短くて済む、主制御基板ケース６１の主制御基板ケースカバー６１２における視認性がさらによくなる、途中に何かが位置すればそれを確実に検知できる、などの効果を奏する。
【００３６】
このようにして、本実施形態の不正監視モニタ７によれば、周囲に電磁波をほとんど発生させず、また、主制御基板ケース６１の内部の視認性を損なわずに、主制御基板ケース６１に対する不正行為を検知し、必要に応じてホールコンピュータ４にその不正行為を通知することができる。
【００３７】
また、光ファイバ９は、従来の導電線に比べて、素材が柔軟、かつ、断面が円形であることで、屈曲方向に関する制約が少なく、わずかな隙間や小さなスペースにおいても引き回し（使用）が可能である。さらに、光ファイバ９は、従来の導電線に比べて、軽量、安価、低腐食性、高耐熱性、高耐久性、高耐電磁ノイズ性という長所も併せ持つ。
【００３８】
また、光の減衰率は光路の長さに影響されるので、受光部７７で受けた光の減衰率を測定することによって、光ファイバ９の不正な継ぎ足しやバイパスを検知することもできる。
さらに、光ファイバ９に対して使用する光としては、可視光線、紫外線、赤外線などを、それらの光学的特性を勘案して適宜選択、使用することができる。例えば、可視光線を使用すれば、光の導通に関する確認を特別の計測器なしで目視により簡単に行うことができる。逆に、図６の構成の場合などにおいて、光の導通の有無を他者に悟られないようにしておきたければ、紫外線、赤外線などの不可視光線を使用すればよい。なお、いずれにしても、原則として、光ファイバ９の側面から光が外部に漏れることはない。
【００３９】
以上で実施形態の説明を終えるが、本発明の態様はこれらに限定されるものではない。
例えば、不正監視モニタ７は、遊技機６の稼働中に不正な電波を検知する電波センサからの信号の入力を受け付け、ホールコンピュータ４に通知するような構成をさらに有していてもよい。
【００４０】
また、主制御基板ケース６１だけでなく、入賞制御基板ケース６２や画像制御基板ケース６３など、他の制御基板（ケース）に対する不正行為を検知するようにしてもよい。
さらに、主制御基板ケース６１に対して光ファイバ９を十字に巻き付けるのに２本の光ファイバ９を使用し、不正監視モニタ７における発光部７６と受光部７７とを２つずつ設けたが、１本の光ファイバ９を使用して主制御基板ケース６１に対して十字に巻きつけ、不正監視モニタ７における発光部７６と受光部７７とを１つずつ設けることとしてもよい。
【００４１】
また、主制御基板ケース６１に対して、光ファイバ９を十字に巻き付けるのではなく、その片方のみ巻き付けるようにしてもよい。
さらに、例えば、発光部７６から発した光が、正常時は受光部７７に到達せず、不正行為時に受光部７７に到達するような構成としてもよい。
【００４２】
また、主制御基板ケース６１に対して光ファイバ９を固定する手段は、図３や図６に示した止め具９１に限定されず、他の形状の止め具などであってもよい。
さらに、不正監視モニタ７は、遊技機６ごとに設置しなくても、数台の遊技機６ごとに１つずつ設置するようにしてもよい。
【００４３】
また、受光部７７で受けた光の波長などを測定することで、光ファイバ９の屈曲数などを知ることもできる。
さらに、主制御基板ケース６１に光ファイバ９を巻き付ける場合、一巻きでなくても、二巻き（二重巻き）やそれ以上の多重巻きとしてもよい。
【００４４】
また、発光部７６において、発光素子７６２による発光を変調器７６１で調節するようにしたが、それ以外に、発光素子を一定に発光させ、その光の周波数や強度を変調器で調節するような構成としてもよい。
その他、ハードウェア、フローチャートなどの具体的な構成について、本発明の主旨を逸脱しない範囲で適宜変更が可能である。
【図面の簡単な説明】
【００４５】
【図１】不正監視モニタを使用する遊技場の全体構成図である。
【図２】遊技機の内部構造の概要を表した背面図である。
【図３】（ａ）が不正監視モニタや光ファイバなどの構成を示した図、（ｂ）が光の波長の変化の説明図、（ｃ）が光の強度の変化の説明図である。
【図４】発光部が規則的に発光する場合の不正監視モニタの処理の流れを示したフローチャートである。
【図５】（ａ）が不規則的に発光する発光部、受光部などの詳細説明図、（ｂ）がその場合の不正監視モニタの処理の流れを示したフローチャートである。
【図６】途中で切断した光ファイバを使用した場合の説明図である。
【符号の説明】
【００４６】
４      ホールコンピュータ
６      遊技機
７      不正監視モニタ（不正検知装置）
９      光ファイバ
６１    主制御基板ケース
７１    処理部
７６    発光部
７７    受光部
【図１】
2009045237.tif 000003
【図２】
2009045237.tif 000004
【図３】
2009045237.tif 000005
【図４】
2009045237.tif 000006
【図５】
2009045237.tif 000007
【図６】
2009045237.tif 000008